(57)【要約】  一実施例における装置は、第１の所定タイプの少なくとも第１のネットワーク、および所定タイプの少なくとも第２のネットワークと、第１と第２のネットワーク間で移動可能な少なくとも１つの移動端末と、第１と第２のネットワークそれぞれに動作可能に結合された少なくとも１つのゲートウェイと、ゲートウェイを介して第１と第２のネットワークのうちの一方から第１と第２のネットワークのうちの他方に移動端末の少なくともフィーチャ・データを通信する少なくとも１つのメッセージとを有する。
2008541617.tif 000002
【特許請求の範囲】
【請求項１】
第１の所定タイプの少なくとも第１のネットワーク、および所定タイプの少なくとも第２のネットワークと、
前記第１と第２のネットワーク間で移動可能な少なくとも１つの移動端末と、
前記第１と第２のネットワークそれぞれに動作可能に結合された少なくとも１つのゲートウェイと、
前記ゲートウェイを介して前記第１と第２のネットワークのうちの一方から前記第１と第２のネットワークのうちの他方に前記移動端末の少なくともフィーチャ・データを通信する少なくとも１つのメッセージとを備える装置。
【請求項２】
前記第１と第２のネットワークのうちの一方はＩＭＳネットワークであり、前記ＩＭＳネットワークはフィーチャ・アプリケーション・サーバを有し、前記移動端末および前記フィーチャ・アプリケーション・サーバは付加サービス符号化に所定フォーマットを使用する、請求項１に記載の装置。
【請求項３】
前記移動端末はセルラー電話機とＩＭＳ対応デバイスのうちの一方である、請求項１に記載の装置。
【請求項４】
前記移動端末は、複数の異なるユーザ機器タイプを有するユーザ機器構成の一部であり、前記異なるユーザ機器タイプの少なくとも１つは、ＩＭＳに適合するか、ＩＭＳに適合する動作モードを有するかの一方である、請求項１に記載の装置。
【請求項５】
前記第１のネットワークはセルラー・ベースのネットワークであり、前記第２のネットワークはＩＭＳ（ＩＰマルチメディア・サブシステム）ネットワークである、請求項１に記載の装置。
【請求項６】
前記ゲートウェイはＩＭＳネットワークの一部である、請求項５に記載の装置。
【請求項７】
前記メッセージはショート・メッセージ・サービス（ＳＭＳ）メッセージである、請求項１に記載の装置。
【請求項８】
移動端末がセルラー・ベースのネットワークとＩＭＳネットワークのうちの一方にある間に出された付加サービス要求を取り込む工程と、
前記付加サービス要求を前記セルラー・ベースのネットワークと前記ＩＭＳネットワークとの間で通信し、それにより、前記移動端末が前記セルラー・ベースのネットワークおよび前記ＩＭＳネットワークのそれぞれのカバレッジ・エリア内にあるときに、前記セルラー・ベースのネットワークおよび前記ＩＭＳネットワークそれぞれが、前記移動端末に関連する現在フィーチャを有するようにする工程とを含む方法。
【請求項９】
前記移動端末が前記セルラー・ベースのネットワーク中にあるとき、前記移動端末は、前記ＩＭＳネットワーク中のフィーチャ・アプリケーション・サーバの宛先番号を含む所定フォーマットを有する移動体発のＳＭＳメッセージ中に前記付加サービス要求をカプセル化する、請求項８に記載の方法。
【請求項１０】
前記ＩＭＳネットワーク中の前記フィーチャ・アプリケーション・サーバは、前記ＳＭＳメッセージをアンパックして、その加入者データを新しい付加サービス情報で更新し、前記移動端末および前記フィーチャ・アプリケーション・サーバは付加サービス符号化に所定フォーマットを使用する、請求項８に記載の方法。
【発明の詳細な説明】
【技術分野】
【０００１】
本発明は一般に、遠隔通信システムに関し、より詳細には、あるネットワーク中で出された付加サービス要求が別のネットワーク中で利用可能である遠隔通信システムに関する。
【背景技術】
【０００２】
今日、複数のタイプのワイヤレス広域ネットワークが存在する。これらは、回路交換（ＣＳ）音声／データ・サービスをサポートする第２世代ネットワーク（ＣＤＭＡ、ＴＤＭＡ、およびＧＳＭ）、ならびに、回路交換（ＣＳ）音声サービスおよびパケット交換（ＰＳ）データ・サービスをサポートする第３世代ネットワーク（ｃｄｍａ２０００、ＵＭＴＳ）を含む。第２世代ネットワークの進化もまた、第３世代ネットワークのものほど最適化されてないエア・インタフェース技術およびネットワークを介してではあるが、ＣＳおよびＰＳデータ・サービスをサポートすることができる。
【０００３】
各タイプの第２世代（２Ｇ）および第３世代（３Ｇ）ネットワークは、そのネットワーク・タイプに固有の特定のエア・インタフェース技術を介して複数のタイプのＵＥ（ユーザ機器）（例えばハンドセット）をＣＳまたはＰＳコア・ネットワーク（ＣＮ）に相互接続する無線アクセス・ネットワーク（ＲＡＮ）からなる。セルラーＣＳ  ＣＮは、様々な機能要素からなり、これらの機能要素は、移動交換センタ（ＭＳＣ）およびホーム／ビジティング・ロケーション・レジスタ（Ｈ／ＶＬＲ）の１つまたは複数のインスタンスを含む（ただしこれらに限定されない）。ＣＳ  ＣＮ内でのシグナリングは、シグナリング方式Ｎｏ．７に基づくインタフェースを使用するＡＮＳＩ−４１（ＣＤＭＡ、ＴＤＭＡ、ｃｄｍａ２０００）またはＭＡＰ（ＧＳＭ、ＵＭＴＳ）に基づく。セルラーＰＳ  ＣＮは、ＧＳＭ／ＴＤＭＡ／ＵＭＴＳおよびＣＤＭＡそれぞれの場合の、ＧＰＲＳサポート・ノード（ＧＳＮ）およびパケット・データ・サービング・ノード（ＰＤＳＮ）などの、パケット・データ・ノードからなる。これらの要素は、地球規模のインターネットを構成するネットワークを含めた、外部パケット・データ・ネットワーク（ＰＤＮ）にインタフェースする。
【０００４】
第２および第３世代ネットワークでは、フィーチャ・アプリケーション・サーバ（ＡＳ）が、ＣＳ  ＣＮと、またはＣＳおよびＰＳ  ＣＮと、それぞれインタフェースして、クライアント−サーバ・ベースのサービスをＵＥに提供する。例えば、ショート・メッセージ・サービス・センタ（ＳＭＳ−Ｃ）は、種々のオペレータによって所有されるＣＮの内部に位置するＵＥ、またはこれらのＣＮにまたがって位置するＵＥとの間で、ショート・メッセージ・サービスを提供する。
【０００５】
ＩＰマルチメディア・サブシステム（ＩＭＳ）とは、３Ｇネットワークの将来の進化を介したマルチメディア・サービスをサポートするコア・ネットワークのことを言い、この場合、集中的な音声データ・サービスすなわちマルチメディア・サービスをサポートする単一のＣＮのみが存在する。マルチメディア・サービスは、シグナリングおよびメディア・トランスポートのためのボイス・オーバーＩＰプロトコルに基づく。ＩＭＳ  ＣＮは、様々な標準化された機能要素からなり、これらの機能要素は、呼セッション制御機能（ＣＳＣＦ）、ブレークアウト・ゲートウェイ制御機能（ＢＧＣＦ）、メディア・ゲートウェイ制御機能（ＭＧＣＦ）、ホーム加入者サーバ（ＨＳＳ）、メディア・ゲートウェイ（ＭＧＷ）、およびアプリケーション・サーバ（ＡＳ）の１つまたは複数のインスタンスを含む（ただしこれらに限定されない）。ＩＭＳ  ＣＮ内でのシグナリングは、インターネット・プロトコル（ＩＰ）に適合する任意のインタフェースを使用するセッション開始プロトコル（ＳＩＰ）に基づく。本明細書では、ＩＭＳは、第３世代パートナーシップ・プロジェクト（３ＧＰＰ）および第３世代パートナーシップ・プロジェクト２（３ＰＰ２）によって指定されたシステムとして定義する。
【０００６】
セルラー・コンテキストでは、ＩＭＳは、第３世代ＲＡＮと共に展開することができる。ＩＭＳはまた、今日の配線式電話ネットワーク（ＰＳＴＮ）や外部ＰＤＮなど、外部ネットワークと相互作用することもできる。しかし、ＩＭＳはまた、他のＲＡＮ（Ｗｉ−Ｆｉ、Ｗｉ−ＭＡＸなど）およびワイヤライン・アクセス・ネットワーク（例えばＡＤＳＬ、ケーブル、ファイバなど）と共に展開することもできる。
【０００７】
ＩＭＳ  ＣＮでは、特定のＵＥ構成のためのクライアント−サーバ・ベースのサービスに対して、様々なフィーチャ・アプリケーション・サーバ（ＡＳ）が存在することができる。非ＩＭＳベースのネットワークとＩＭＳベースのネットワークとの主要な違いの１つは、後者の場合、アプリケーション・サーバは、ＰＳ  ＣＮとレガシーＣＳ  ＣＮとの間でインタフェースするように明示的に設計されない限り、ますますマルチメディア・ベースのサービスを実現し、ますますＰＳ  ＣＮ（ＩＭＳ  ＣＮ）とインタフェースするということである。
【０００８】
ワイヤレスＵＥは、ＲＡＮタイプに適合する無線アダプタ・カードを含むパーソナル・コンピュータ（ＰＣ）など、別個の移動端末（ＭＴ）および端末機器（ＴＥ）からなる場合もあり、あるいは、移動電話機（ハンドセット）など、一体型のＭＴおよびＴＥからなる場合もある。当然、ハイブリッド・タイプのＵＥも可能であり、様々なＭＴタイプ（例えばＰＣはラップトップＰＣやパーソナル・ディジタル・アシスタント（ＰＤＡ）の形をとることができる）、またはＭＴコンポーネントとＴＥコンポーネント間の様々な一体化レベル（例えばＰＤＡ電話機）がある。
【発明の開示】
【発明が解決しようとする課題】
【０００９】
今日の多様なネットワークでは、あるネットワークについて加入者のフィーチャを常に把握しているエンティティは、別のネットワーク中でこの加入者のフィーチャを常に把握しているエンティティと同じではない場合がある。例えば、セルラー・ネットワークのＣＳ  ＣＮでは、ＨＬＲが前述のエンティティであり、ＩＭＳ  ＣＮでは、ＨＳＳでなければＡＳが前述のエンティティである場合がある。両方のタイプのＣＮが並行して展開され、加入者が同様のサービスに加入しているシナリオでは、異なるフィーチャ・ストアを同期状態に維持することが重要である。例えば、ＧＳＭネットワークの加入者が呼転送サービスを起動する場合、この加入者は、ＩＭＳネットワークを使用して同じフィーチャにアクセスするときも、このフィーチャがＩＭＳネットワーク中で自分に対して起動されることを期待するであろう。また逆に、ＩＭＳネットワーク中で行われたフィーチャ・アクションは、ＧＳＭネットワーク中のＨＬＲに伝搬する必要がある。
【００１０】
利用可能なサービス・アーキテクチャおよびインタフェースによっては、ＩＭＳネットワークが加入者の付加サービス情報をＨＬＲから直接に得ることができない場合がある。したがって、ＨＬＲがＩＭＳ中への加入者情報のための直接のインタフェースを有する必要なしに、セルラー・ベースのフィーチャ・アクションがＩＭＳ中に伝搬されるシステムが必要とされている。さらに、ＩＭＳ中で行われたフィーチャ・アクションがワイヤレスＨＬＲに伝搬することも必要とされている。
【課題を解決するための手段】
【００１１】
本発明は、一実装形態では装置を含む。この装置は、第１の所定タイプの少なくとも第１のネットワーク、および所定タイプの少なくとも第２のネットワークと、第１と第２のネットワーク間で移動可能な少なくとも１つの移動端末と、第１と第２のネットワークそれぞれに動作可能に結合された少なくとも１つのゲートウェイと、ゲートウェイを介して第１と第２のネットワークのうちの一方から第１と第２のネットワークのうちの他方に移動端末の少なくともフィーチャ・データを通信する少なくとも１つのメッセージとを備えることができる。ＳＳ要求からＳＭＳメッセージへの変換およびその逆の変換を行う機能を有するスマート・クライアントが、ハンドセット中にあるものとすることができる。
【００１２】
本発明の別の実装形態は、方法を含む。この方法は、移動端末がセルラー・ベースのネットワークとＩＭＳネットワークのうちの一方にある間に出された付加サービス要求を取り込むこと、ならびに、付加サービス要求をセルラー・ベースのネットワークとＩＭＳネットワークとの間で通信し、それにより、移動端末がセルラー・ベースのネットワークおよびＩＭＳネットワークのそれぞれのカバレッジ・エリア内にあるときに、セルラー・ベースのネットワークおよびＩＭＳネットワークそれぞれが、移動端末に関連する現在フィーチャを有するようにすることを含むことができる。
本発明の例示的な実装形態の特徴は、記述、特許請求の範囲、および添付の図面から明らかになるであろう。
【発明を実施するための最良の形態】
【００１３】
本方法および装置の実装形態は、加入者がレガシーＣＳ  ＣＮ（例えばＣＤＭＡ、ＴＤＭＡ、ＧＳＭ）中にいる間に出された付加サービス要求を取り込み、これらの要求をＩＭＳ  ＣＮに提供する。これらの実装形態は、今日存在するＣＳ  ＣＮに対してどんな新しい要件も課さない。また、これらの実装形態は、前述のような任意のタイプの配線式またはワイヤレス・アクセス・ネットワークに適用可能である。
【００１４】
以下、「付加サービス」とは、基本的な電話（音声）呼に適用される拡張処理のことを言う。これらは、呼転送、呼伝達、複数話者通話などのサービスを含み（ただしこれらに限定されない）、これらはそれ自体でサービスと考えられる。これらの処理（サービス）は、発信呼と着信呼のいずれにも適用することができる。
【００１５】
加入者が付加サービス要求を出す（例えば呼転送サービスを起動する）と、移動端末は、付加サービス要求を事前定義済みのフォーマットでショート・メッセージ・サービス（ＳＭＳ）メッセージ中にカプセル化する。移動端末はこれを、要求を通常の方法でＭＳＣを介してＨＬＲに送信することに加えて行うか、またはそれに代えて行うことができる。移動端末は、ＳＭＳメッセージを特定のＤＮ（ディレクトリ番号）に送信する。ＤＮは、フィーチャ・アプリケーション・サーバに関連するＩＭＳネットワーク中のアドレスを指す。フィーチャ・アプリケーション・サーバは、ＳＭＳメッセージを受信し、これをアンパックし、この加入者に対して適切に付加サービス・アクションをファイルすることになる。ＳＭＳメッセージの「テキスト」部分には標準的なフォーマットはないが、メッセージのフォーマットは、移動端末（移動端末中または他のデバイス中のクライアント・ソフトウェア）とフィーチャ・アプリケーション・サーバとの間の双方の合意によって事前に合意されたものとなる。すなわち、移動端末とフィーチャ・アプリケーション・サーバは、付加サービス要求をＳＭＳメッセージ中にカプセル化するのに、同じフォーマットを使用しなければならない。
【００１６】
ＳＭＳは、移動電話機と他のハンドヘルド・デバイスとの間でショート・メッセージ（テキスト・メッセージ、あるいはより口語的にはテキスト、さらにはｔｘｔとしても知られる）を送信することが可能なほとんどのディジタル移動電話機上で利用可能なサービスである。
【００１７】
図１を参照すると、通信ネットワークに動作可能に接続された複数の移動端末のうちの少なくとも１つの移動端末（移動電話機または移動局とも呼ばれる）について、システム１００が示されている。本システムおよび方法は任意のタイプのシステム（例えば配線式またはワイヤレス）で使用することができるが、加入者は、典型的には、移動端末（移動電話機、セル・ホン、移動ハンドセット、自動車電話機とも呼ばれる）を使用する移動加入者とすることができる。システム（または通信ネットワーク）１００は、移動交換センタ（ＭＳＣ）１０２を有することができる。このシステムは、電話ネットワーク、ローカル・エリア・ネットワーク（ＬＡＮ）、インターネット、およびワイヤレス・ネットワークのうちの１つまたは複数、あるいはその一部とすることができる。図示の実施形態では、公衆交換電話網（ＰＳＴＮ）１０４がＭＳＣ１０２に接続されている。ＰＳＴＮ１０４は、ＭＳＣ１０２を介して呼を移動加入者との間でルーティングする。ＰＳＴＮ１０４はまた、呼をワイヤライン局１０６との間でルーティングする。ＭＳＣ１０２は、１つまたは複数の基地局（ＢＳ）１１０にも接続することができる。各基地局１１０は、そのサービス・エリア中の１つまたは複数の移動端末１１２と通信する。ＰＳＴＮ１０４は一般に、電話機およびアクセス特権を有するすべての者からアクセス可能な世界規模の音声電話ネットワーク（例えばＡＴ＆Ｔ長距離ネットワーク）として実現することができる。
【００１８】
各移動端末１１２は、各移動端末１１２に関するデータの存在するホーム・ロケーション・レジスタ（ＨＬＲ）１１４に関連付けることができる。いくつかの移動端末１１２は、現在、ＭＳＣ１０２に登録されているものとすることができ、その場合、ビジティング・ロケーション・レジスタ（ＶＬＲ）１１６は、ＭＳＣ１０２によってサポートされるカバレッジ・エリア中にある各移動端末１１２に対してローカルにセットアップされる。ＨＬＲ１１４は、セルラー・ネットワーク中で利用される永続的なＳＳ７データベースとして実現することができる。
【００１９】
ＨＬＲ１１４は、一般に加入者を識別／検証するために利用することができ、また、フィーチャおよびサービスに関係する加入者データを含むこともできる。ＨＬＲ１１４は一般に、公式なセルラー・プロバイダによってサポートされるカバレッジ・エリア内の加入者に呼が着信しているときに利用されるだけでなく、加入者が自分のホーム・エリアから離れているときに正当性を検証し加入者フィーチャをサポートするためにも利用される。移動端末１１２は、セルラー・デバイス、パーソナル通信デバイス、ショート・メッセージ・サービス・デバイス、またはワイヤレス通信デバイス（例えばワイヤレス・パーソナル・ディジタル・アシスタント）として実現することができる。ＨＬＲ１１４、ＶＬＲ１１６、およびＭＳＣ１０２は、２Ｇ／３Ｇ  ＣＳコア・ネットワーク（ＣＮ）１０１の一部とすることができる。ＢＳ１１０は、２Ｇ／３Ｇ無線アクセス・ネットワーク（ＲＡＮ）１０３の一部とすることができる。
【００２０】
図２に、ＩＭＳネットワーク２００を示す。ＩＭＳネットワーク２００は、１つまたは複数のフィーチャ・アプリケーション・サーバ２０８を有することができる。フィーチャ・アプリケーション・サーバ２０８は、ディジタル・パーソナル・アシスタント２０２やラップトップ・コンピュータ２０４やセルラー電話機２０６など、様々な加入者機器（ＵＥ２０１）と通信することができる。
【００２１】
図３に示すように、移動端末３０６は、セルラー・ベースのネットワーク３００のカバレッジ・エリア３０１から、ＩＭＳネットワーク３０２のカバレッジ・エリア３０３に移動することができる（例えばパス３０８に沿って）。後でさらに説明するが、ゲートウェイ３０４は、セルラー・ベースのネットワーク３００とＩＭＳネットワーク３０２の両方に動作可能に結合することができる。ゲートウェイ３０４はまた、ＩＭＳネットワーク３０２の一部であってもよい。
【００２２】
より具体的には（図３参照）、移動端末３０６は、加入者フィーチャを更新するための命令の送信を制御する論理モジュール３１０を有することができる。移動端末３０６はまた、ＳＭＳメッセージ・モジュール３１２も有することができる。移動端末３０６は、セルラー・ベースのネットワーク３００中の移動交換センタ３１４を介して、ゲートウェイ３０４と通信することができる。ゲートウェイ３０４はさらに、ＩＭＳネットワーク３０２中のフィーチャ・アプリケーション・サーバ３１６に動作可能に結合される。ゲートウェイ３０４は、セルラー・ベースのネットワーク３００およびＩＭＳネットワーク３０２とインタフェースするための論理モジュール３１８を有することができる。
【００２３】
図４に、本方法および装置のためのネットワーク・アーキテクチャの一実装形態を示す。ＩＭＳネットワーク４００は、図４に示す構成では、ＣＳＣＦ（呼セッション制御機能）、ＢＧＣＦ（ブレークアウト・ゲートウェイ制御機能）、ＭＧＣＦ（メディア・ゲートウェイ制御機能）、ＭＧＷ（メディア・ゲートウェイ）、およびＡＳ（アプリケーション・サーバ）などのネットワーク要素を有することになる。ＩＭＳネットワーク４００は、広帯域ＩＰネットワーク４０２に動作可能に結合することができ、広帯域ＩＰネットワーク４０２は、Ｗｉ−Ｆｉアクセス・ポイント４０４に動作可能に結合することができる。Ｗｉ−Ｆｉアクセス・ポイント４０４は、移動端末４０６にワイヤレスに結合することができる。
【００２４】
ＩＭＳネットワーク４００はまた、ＨＳＳ（ホーム加入者サーバ）４１０、付加サービス・インターワーキング・ゲートウェイ４１２、およびセルラー・ベースのネットワーク（ＳＳ７など）４０８にも動作可能に結合することができる。セルラー・ネットワーク４０８もまた、付加サービス・インターワーキング・ゲートウェイ４１２、メッセージ・センタ４１４、ＨＬＲ４１６、ホームＭＳＣ４１８、およびサービングＭＳＣ４２２に動作可能に結合することができる。
【００２５】
ＩＭＳネットワーク４００はまた、ＰＳＴＮ４２０に動作可能に結合することができ、ＰＳＴＮ４２０は、ホームＭＳＣ４１８およびサービングＭＳＣ４２２に動作可能に結合することができる。サービングＭＳＣ４２２は、無線アクセス・ネットワーク４２４に動作可能に結合することができ、無線アクセス・ネットワーク４２４は、移動端末４２６にワイヤレスに結合することができる。
【００２６】
移動端末がセルラー・ネットワークからＩＭＳネットワークに移動する一実装形態の詳細なステップは、次のとおりである。
１．（図５）セルラー・ネットワーク中の加入者が、付加サービスを更新するためのアクションを起こす。例えば、呼転送を起動する。これは、デバイス上のメニューからアクションを選択することによって、または呼転送の起動を示すようにあらかじめ定められた一連の数字をダイヤルすることによって、達成することができる。（図６、６０１）
２．（図５）加入者エンドポイント（デバイス）は、この更新をＭＳＣに送信する。（図６、６０２）
３．（図５）ＭＳＣは、この更新をＨＬＲに送信する。（図６、６０３）
４．（図５）ＨＬＲは、変更を行い、ＭＳＣに成功を示す。（図６、６０４）
５．（図５）ＭＳＣは、加入者に成功を示す。これは、特定のメッセージを送信すること、または音を鳴らすことによるものとすることができる。（図６、６０５）
６．（図５）加入者デバイスは、移動体発のＳＭＳメッセージ中に付加サービス要求をカプセル化し、これをＭＳＣに送信する。宛先アドレスはＩＭＳフィーチャ・アプリケーション・サーバのアドレスなので、移動端末はすでに宛先アドレスを持っている。このメッセージは、加入者のディレクトリ番号などの識別子である「ｆｒｏｍ」アドレスを含む。この例では、移動端末は、ＳＭＳフィーチャの起動に進む前に、ＨＬＲでフィーチャの起動が成功したことの確認をセルラー・ネットワークから得るために待機していたことに留意されたい。しかし別の実装形態では、移動端末は、セルラー・ネットワークの確認を待機せずにメッセージを送信してもよい。（図６、６０６）
７．（図５）ＭＳＣは、ＳＭＳメッセージをＳＭＳＣに送信する。（図６、６０７）
８．（図５）ＳＭＳＣは、メッセージを受信し、これを加入者デバイスによって指定された宛先アドレス（ＤＮ）に転送する。（図６、６０８）
９．（図５）宛先アドレスＤＮは、ＩＭＳネットワーク中のＳＭＳ変換デバイスに属し、このＳＭＳ変換デバイスは、ＳＭＳＣへのインタフェース（例えばＡＮＳＩ−４１やＭＡＰプロトコル）を有する。この例では、ＳＭＳ／ＩＭＳゲートウェイは、Ｅ．１６４電話番号を使用してＩＭＳ  ＴＥＬ  ＵＲＬに変換する。あるいは、ＳＭＳ／ＩＭＳゲートウェイは、ＥＮＵＭデータベースまたは他のデータベースに照会して、このＥ．１６４電話番号に関連するＳＩＰ  ＵＲＩ（Ｆｅａｔｕｒｅｓ＿Ｒ＿Ｕｓ＠ａｏｌ．ｃｏｍなど）を得ることもできる。ＳＭＳ変換デバイスは、加入者の「Ｆｒｏｍ」番号を含むメッセージを、フィーチャ・アプリケーション・サーバであるアドレスに転送する。いくつかのネットワークでは、すべての加入者に対してフィーチャ・アプリケーション・サーバが１つしかないことがあるが、複数フィーチャ・アプリケーション・サーバの場合は、ＳＭＳ変換デバイスは、この加入者についてのローカル・データベース・ルックアップによって、またはこの加入者についてのＨＳＳ照会によって、フィーチャ・アプリケーション・サーバ・アドレスを得ることができる。（図６、６０９）
１０．（図５）フィーチャ・アプリケーション・サーバは、メッセージをアンパックし、その加入者データを新しい付加サービス情報で更新する。例えば、フィーチャ・サーバは、加入者のフィーチャ更新に関する情報でＨＳＳを更新することができ、あるいは、ＩＭＳ領域中の他の何らかのフィーチャ・サーバ／加入者データベース中に情報を記録することができる。（図６、６１０）
【００２７】
移動端末がＩＭＳネットワークに登録されており、付加サービス要求がセルラーＨＬＲに伝搬され、移動端末がＩＭＳネットワークからセルラー・ネットワークに移動する一実装形態の詳細なステップは、次のとおりである。
１．（図７）加入者が、ＩＭＳネットワーク中にいる間に、呼転送を起動するためのアクションを起こす。（図８、８０１）
２．（図７）加入者機器は、ＣＦ起動要求をＩＭＳコア・ネットワークに送信する。（図８、８０２）
３．（図７）ＩＭＳコア・ネットワークは、ＣＦ要求をＩＭＳアプリケーション・サーバに転送する。（図８、８０３）
４．（図７）サーバは、成功指示をＩＭＳコア・ネットワークに返送する（図８、８０４）
５．（図７）ＩＭＳコア・ネットワークは、成功指示を加入者機器に返送する。（図８、８０５）
６．（図７）ＩＭＳアプリケーション・サーバは、カプセル化されたＳＭＳメッセージをこの加入者に向けてＳＭＳ／ＩＭＳゲートウェイに送信して、ＣＦ起動を指示する。（図８、８０６）
７．（図７）ＳＭＳ／ＩＭＳゲートウェイは、メッセージをＳＭＳＣに転送する。（図８、８０７）
８．（図７）ＳＭＳＣは、加入者のＨＬＲに照会して、この加入者に対する現在の（セルラー・ベースの）サービングＭＳＣを得る。（図８、８０８）
９．（図７）ＨＬＲは、加入者が現在どのＭＳＣにも登録されていないことを返信し、したがってメッセージはＳＭＳＣでキューに入れられる。（図８、８０９）
１０．（図７）加入者はＩＭＳネットワークを離れ、加入者機器はセルラー・ネットワーク中でＭＳＣに登録する。（図８、８１０）
１１．（図７）ＭＳＣは、登録要求をＨＬＲに送信する。（図８、８１１）
１２．（図７）ＨＬＲは、加入者についてのメッセージ保留フラグがあると判定し、加入者が今や登録されていることをサービングＭＳＣのアドレスと共にＳＭＳＣに通知する。（図８、８１２）
１３．（図７）ＳＭＳＣは、加入者へのメッセージを含むメッセージをサービングＭＳＣに送信する。（図８、８１３）
１４．（図７）ＭＳＣは、メッセージを加入者機器に転送する。（図８、８１４）
１５．（図７）加入者機器中のクライアント・ソフトウェアは、メッセージの「ｆｒｏｍ」アドレスがＩＭＳアプリケーション・サーバからのものであると識別し、これが人物宛てではなく加入者機器中のクライアント・ソフトウェア宛ての特別なメッセージであると判定する。クライアント・ソフトウェアは、セルラーＭＳＣへの再度の起動を送信することを実行する。（図８、８１５）
１６．（図７）セルラーＭＳＣは、起動要求をＨＬＲに転送する。（図８、８１６）
１７．（図７）ＨＬＲは、「成功」をＭＳＣに示す。（図８、８１７）
１８．（図７）ＭＳＣは、「成功」を加入者機器に示す。（図８、８１８）
【００２８】
セルラーとＩＭＳとの異なる領域のための仲介としてＳＭＳを使用する機構は、付加サービスの起動だけでなく他の機能にも使用することができる。例えば、ＩＭＳ領域に音声メール・システムがある場合、ＩＭＳ／ＳＭＳゲートウェイを介してメッセージ待機指示を送信して、このユーザに対するＨＬＲにおいてメッセージ待機ステータスの変更を行うことができる。ＩＭＳネットワーク中には、加入者がセルラー・ベースのネットワーク中にいる間に加入者デバイス（移動端末など）と対話するための多くのタイプのサービスがある場合がある。
【００２９】
本明細書に述べたステップまたは動作は、例示に過ぎない。本発明の趣旨を逸脱することなく、これらのステップまたは動作に対する多くの変形があるであろう。例えば、これらのステップは異なる順序で実施してもよく、あるいはステップを追加、削除、または修正してもよい。
【００３０】
本発明の例示的な実装形態を本明細書に詳細に図示および記述したが、本発明の趣旨を逸脱することなく様々な修正、追加、代用などを行うことができ、したがってこれらは後続の特許請求の範囲に定義する本発明の範囲内にあると考えられることは、当業者には明らかであろう。
【図面の簡単な説明】
【００３１】
【図１】本装置および方法と共に使用されるセルラー・ベースのネットワークの一実装形態を示す図である。
【図２】本装置および方法と共に使用されるＩＭＳネットワークの一実装形態を示す図である。
【図３】例えばＩＭＳネットワークおよびセルラー・ベースのネットワークと共に使用される、本装置および方法の一般的な実装の一実装形態を示す図である。
【図４】本方法および装置のためのネットワーク・アーキテクチャの一実装形態を示す図である。
【図５】あるネットワーク中で出された付加サービス要求が別のネットワーク中で利用可能である、本方法の一実装形態の流れ図である。
【図６】あるネットワーク中で出された付加サービス要求が別のネットワーク中で利用可能である、本方法の一実装形態の流れ図である。
【図７】あるネットワーク中で出された付加サービス要求が別のネットワーク中で利用可能である、本方法の別の実装形態の流れ図である。
【図８】あるネットワーク中で出された付加サービス要求が別のネットワーク中で利用可能である、本方法の別の実装形態の流れ図である。
【図１】
2008541617.tif 000003
【図２】
2008541617.tif 000004
【図３】
2008541617.tif 000005
【図４】
2008541617.tif 000006
【図５】
2008541617.tif 000007
【図６】
2008541617.tif 000008
【図７】
2008541617.tif 000009
【図８】
2008541617.tif 000010
【国際調査報告】
2008541617.tif 000011
2008541617.tif 000012